(57)【要約】【課題】化粧料容器内に収納された化粧料を衝撃や落下等による衝撃から保護し、ひび割れや飛散等を有効に防止する。【解決手段】弾性部材３０は、枠体３１、フランジ３２、連結部３３および取付部３４を有している。連結部３３は、枠体３１の下部と取付部３４の縁部との間を連結している。それぞれの連結部３３は、同一の形状を有するとともに、取付部３４を中心として対称に配置されている。それぞれの連結部３３は、同一の延在長を有する一対の連結片３３ａ，３３ｂを含んでいる。連結片３３ａ，３３ｂの一端は、取付部３４側において互いに連結されている。連結片３３ａ，３３ｂの他端は、枠体３１側の異なる取付部位に取り付けられている。【選択図】図３
2004166741.tif 000002
【特許請求の範囲】
【請求項１】
化粧料容器において、
容器本体と、
前記容器本体内に収納されているとともに、化粧料を収容した化粧料収容体と、
前記容器本体と前記化粧料収容体との間に設けられ、前記容器本体に取り付けられているとともに、枠体と、取付部と、連結部とが一体的に形成された弾性部材とを有し、
前記枠体は、前記化粧料収容体の側部に沿った形状を有し、
前記取付部は、前記枠体と離間しているとともに、前記取付部の取付面上に、前記化粧料収容体の底部が取り付けられ、
前記連結部は、前記枠体の下部と前記取付部の縁部との間を連結していることを特徴とする化粧料容器。
【請求項２】
前記弾性部材は、同一の形状を有する複数の前記連結部を有することを特徴とする請求項１に記載された化粧料容器。
【請求項３】
前記連結部のそれぞれは、前記取付部を中心として対称に配置されていることを特徴とする請求項２に記載された化粧料容器。
【請求項４】
前記連結部は、前記枠体側の取付部位における延在方向と前記取付部側の取付部位における延在方向とが相違することを特徴とする請求項１から３のいずれかに記載された化粧料容器。
【請求項５】
前記連結部は、少なくとも一対の連結片を含み、
前記連結片のそれぞれの一端は、互いに連結されており、
前記連結片のそれぞれの他端は、前記枠体側の異なる取付部位に取り付けられていることを特徴とする請求項４に記載された化粧料容器。
【請求項６】
前記枠体は、それぞれが長手方向に直線状に延在する複数のストレート状の壁部によって囲まれた形状を有し、
前記連結片の他端のそれぞれは、異なる前記ストレート状の壁部に取り付けられることを特徴とする請求項５に記載された化粧料容器。
【請求項７】
前記一対の連結片は、同一の延在長を有することを特徴とする請求項５または６に記載された化粧料容器。
【請求項８】
前記一対の連結片は、円弧状に湾曲した形状を有し、前記連結片の一端同士が滑らかに繋がっていることを特徴とする請求項５から７のいずれかに記載された化粧料容器。
【請求項９】
前記弾性部材には、フランジがさらに一体形成されており、
前記フランジは、前記枠体の縁部から前記枠体の外側に向かって、湾曲しながら突出しているとともに、前記容器本体と当接することによって、前記枠体と前記容器本体とを水平方向に離間させることを特徴とする請求項１から７のいずれかに記載された化粧料容器。
【請求項１０】
前記容器本体の縁部には、前記容器本体の内側に突出しているとともに、前記フランジの先端部と係合可能な爪部が設けられていることを特徴とする請求項９に記載された化粧料容器。
【発明の詳細な説明】
【０００１】
【発明の属する技術分野】
本発明は、化粧料容器に係り、特に、容器本体内に化粧料を収納したコンパクト容器に関する。
【０００２】
【従来の技術】
化粧皿に固形粉末化粧料等を加圧充填し、この化粧皿を容器本体内に収納した小型かつコンパクトな化粧料容器が知られている。このような化粧料容器では、落下時の衝撃によって化粧料がひび割れたり、飛散したりすることが問題となる。そのため、従来より、耐衝撃性の向上を意図した化粧料容器が提案されている。
【０００３】
例えば、特許文献１には、容器本体の収納スペースの底部に、発泡シート等の弾性板を載置して、その上に化粧皿を固定した化粧料容器が開示されている。この収納スペースの底部の一部には、凹部が形成されており、弾性板は、収納スペースの内周よりも小さく凹部の内周よりも大きなサイズを有する。したがって、載置された弾性板と収納スペースの底部との間には、凹部相当の底部空間が形成される。また、収納スペースの内周壁は、弾性板のずれを許容する枠体と嵌合している。この枠体の内周は化粧皿の外周よりも大きいため、化粧皿と枠体との間には側部空間が形成される。容器本体に衝撃が加わった場合、載置された弾性板がずれることにより、容器本体から化粧皿に伝達される衝撃力が吸収される。
【０００４】
また、特許文献２には、化粧料が収容された化粧料装着部を、平板枠状の弾性収縮部を介して、容器本体内に収納したコンパクト容器が開示されている。この化粧料装着部の略全周には、フランジが形成されているとともに、容器本体の外周には、その底部より上方向に向かって起立した縁壁部が設けられている。容器本体側の縁壁部が、弾性収縮部を介して、化粧料装着部側のフランジを支持することによって、化粧料装着部は、持ち上げられた状態で容器本体内に収納される。容器本体に衝撃が加わった場合、縁壁部とフランジとの間に介装された弾性収縮部の弾性変形によって衝撃が吸収される。
【０００５】
【特許文献１】
実開平７−２０１０８号公報
【特許文献２】
実開平６−１１６０６号公報
【０００６】
【発明が解決しようとする課題】
本発明の目的は、耐衝撃性に優れた新規な構造を有する化粧料容器を提供することである。
【０００７】
また、本発明の別の目的は、化粧料容器内に収納された化粧料を衝撃から保護し、化粧料のひび割れや飛散等を有効に防止することである。
【０００８】
【課題を解決するための手段】
かかる課題を解決するために、本発明は、容器本体と化粧料収容体と弾性部材とを有する化粧料容器を提供する。化粧料収容体は、容器本体内に収納されているとともに、化粧料を収容している。弾性部材は、容器本体と化粧料収容体との間に設けられ、容器本体に取り付けられているとともに、枠体と、取付部と、連結部とが一体的に形成されている。枠体は、化粧料収容体の側部に沿った形状を有する。取付部は枠体と離間しているとともに、この取付部の取付面上に、化粧料収容体の底部が取り付けられる。連結部は、枠体の下部と取付部の縁部との間を連結している。
【０００９】
ここで、本発明において、弾性部材は、同一の形状を有する複数の連結部を有することが好ましい。また、連結部のそれぞれは、取付部を中心として対称に配置されていることがより好ましい。さらに、連結部は、枠体側の取付部位における延在方向と取付部側の取付部位における延在方向とが相違していることが望ましい。
【００１０】
また、本発明において、連結部は少なくとも一対の連結片を含んでいてもよい。連結片のそれぞれの一端は互いに連結されており、連結片のそれぞれの他端は枠体側の異なる取付部位に取り付けられていることが好ましい。一対の連結片は同一の延在長を有することが望ましい。また、一対の連結片は、円弧状に湾曲した形状を有し、連結片の一端同士が滑らかに繋がっていることが望ましい。さらに、枠体は、それぞれが長手方向に直線状に延在する複数のストレート状の壁部によって囲まれた形状を有し、連結片の他端のそれぞれは、異なるストレート状の壁部に取り付けられることが望ましい。
【００１１】
さらに、本発明において、弾性部材には、フランジがさらに一体形成されていてもよい。このフランジは、枠体の縁部から枠体の外側に向かって、湾曲しながら突出しているとともに、容器本体と当接することによって、枠体と容器本体とを水平方向に離間させる。また、弾性部材を容器本体に係止すべく、容器本体の縁部に、容器本体の内側に突出した爪部を設けてもよい。この爪部は、フランジの先端部と係合可能な形状を有する。
【００１２】
【発明の実施の形態】
（第１の実施形態）
図１は、本実施形態に係る小型かつコンパクトな化粧料容器の外観斜視図である。化粧料容器１は、容器本体１０、化粧料収容体２０および弾性部材３０で構成されている。容器本体１０には、開閉可能な蓋部１０ａが取り付けられている。この蓋部１０ａを開くと容器本体１０の上部が開口して、容器本体１０の内部に弾性部材３０を介して収納された化粧料収容体２０が露出する。
【００１３】
図２は、化粧料容器１の展開斜視図である。容器本体１０は、透明なプラスチック製の容器であり、その内部には、凹状に窪んだ収納部１１が形成されている。収納部１１は、底部１１ａと内側壁１１ｂとを有する。収納部１１の縁部（本実施形態では上縁部）には、収納部１１の内側に向かって突出した爪部１２が一体形成されている。爪部１２は、収納部１１に収納される弾性部材３０（具体的には、後述するフランジ３２の先端部３２ｃ）と係合可能な形状を有する。この爪部１２は、収納部１１の上縁部の全周に亘って連続的に設けてもよいが、その一部が切り欠かれていてもよい。弾性部材３０は、爪部１２との係合によって容器本体１０に係止されるため、容器本体１０を逆さまにしたとしても、容器本体１０より脱落することはない。
【００１４】
化粧料を収容する化粧料収容体２０は、例えばアルミニウム製、合成樹脂製またはアルミニウム合金製等の化粧皿２０ａを含む。この化粧皿２０ａには、例えば、アイシャドウといった化粧料の粉末を加圧圧縮工程を経て固形化したものが収容されている。この化粧料収容体２０は、貼付材４０によって、弾性部材３０に取り付けられている。貼付材４０としては、例えば、接着剤や両面接着テープ等を用いることができるが、外部からの衝撃に対する化粧料保護の観点より、弾性を有する接着テープや接着剤を用いることが好ましい。
【００１５】
弾性部材３０は、容器本体１０と化粧料収容体２０との間に設けられている。振動や落下等により外部から化粧料容器１に衝撃が加わった場合、弾性部材３０は、自身の変形（弾性体固有の弾性変形と形状的な変形との双方を含む）によって、化粧料収容体２０に伝わる衝撃を有効に吸収する。弾性部材３０としては、適度な弾力性を有する材質のものを広く用いることができるが、例えば、熱可塑性樹脂を用いてもよい。熱可塑性樹脂としては、例えば、ポリエチレン、ポリエステル、ポリウレタン、ポリプロピレン、ポリアミド樹脂、およびそれらの変性樹脂等が挙げられる。また、熱可塑性樹脂の代わりに、合成ゴム、シリコーンゴム等の圧縮成型用樹脂を用いてもよい。
【００１６】
図３は弾性部材３０の上方斜視図であり、図４はその下方斜視図である。弾性部材３０は、枠体３１、フランジ３２、連結部３３および取付部３４を有し、これらの部位３１〜３４は一体形成されている。枠体３１は、枠体３１の内部スペースに化粧皿２０ａが収容される関係上、化粧皿２０ａの側部に沿った形状を有する。本実施形態では、化粧皿２０ａが上面視で四角形状を有しているため、枠体３１も４つのストレート状の壁部３１ａで囲まれた四角形状を有している。壁部３１ａのそれぞれは、長手方向に直線状に延在しているとともに、ほぼ垂直方向に平面的に起立し、かつ、均一な肉厚を有する。また、枠体３１自体の変形を許容すべく、枠体３１の頂部が開口している。なお、化粧料収容体２０の収納を容易に行うことができるように、枠体３１の内壁にはテーパが設けられており、頂部側から底部側に向けて徐々に窄まっている。
【００１７】
枠体３１の上縁部には、この上縁部から枠体３１の外側に向かって湾曲しながら突出したフランジ３２が設けられている。このフランジ３２は、枠体３１側の壁部３１ａに沿って直線状に延在するストレート部３２ａと、隣接したストレート部３２ａの間を連結するコーナー部３２ｂとを有する。これらの部位３２ａ，３２ｂは、枠体３１の上縁部より外側に向かって湾曲した後、さらに枠体３１の底部側に向かって延在している。これにより、略逆Ｕ字状のフランジ３２の内部には、フランジ３２の潰れ変形を許容する中空部が形成されることになる。また、ストレート部３２ａの先端は、枠体３１の略底部位置に留まるが、コーナー部３２ｂでは、そこからさらに上方へと折り返されて、上向きの先端部３２ｃが形成されている。この先端部３２ｃは容器本体１０側の爪部１２と係合しており、これによって、弾性部材３０が容器本体１０に係止される。
【００１８】
また、枠体３１の下部には、複数の連結部３３と、取付部３４とが一体形成されている。略四角形状の取付部３４は、枠体３１の略中央において、枠体３１と離間して配置されている。ここで、「離間して」とは、取付部３４の縁部全周が枠体３１と完全に分離されているという意味ではなく、取付部３４の一部の縁部が枠体３１と離間していれば足りる。また、この取付部３４の取付面（上面）には、上述した貼付材４０によって、化粧料収容体２０の底部が取り付けられている。
【００１９】
連結部３３は、枠体３１の下部と取付部３４の縁部との間を連結している。また、それぞれの連結部３３は、衝撃の吸収バランスを考慮して、或いは、全方位において良好な衝撃吸収性を発揮すべく、同一の形状を有するとともに、取付部３４を中心として対称に配置されている。さらに、それぞれの連結部３３は、同一の延在長を有する一対の連結片３３ａ，３３ｂを含んでいる。これらの連結片３３ａ，３３ｂの一端は、取付部３４側において互いに連結されている。これに対して、連結片３３ａ，３３ｂの他端は、枠体３１側の異なる取付部位に取り付けられている。具体的には、一方の連結片３３ａは、一のストレート状の壁部３１ａに取り付けられており、他方の連結片３３ｂは、これと隣接した他のストレート状の壁部３１ａに取り付けられている。また、連結片３３ａ，３３ｂは、円弧状に湾曲した形状を有し、これらの一端同士が滑らかに繋がっている。このような形状にすることにより、水平方向の衝撃が加わった際に、連結片３３ａ，３３ｂの形状的な変形が連続的になるため、衝撃吸収性が高まる。このように、連結部３３は、互いに隣接した一対の壁部３１ａの間を円弧状に湾曲しながら連結しているとともに、その中間部位において取付部３４が連結されている。
【００２０】
図５は、化粧料容器１の断面図である。水平方向において、化粧料収容体２０と収納部１１の内側壁１１ｂとの間には、枠体３１とフランジ３２とが介在している。そして、フランジ３２側の先端部３２ｃが内側壁１１ｂと当接することによって、枠体３１と内側壁１１ｂとが水平方向に離間している。換言すれば、枠体３１の外側壁と内側壁１１ｂとの間には所定の側部空間が形成されている。この側部空間は、フランジ３２によって、水平方向において複数の空間ａ，ｂに分割されている。これにより、フランジ３２の先端部３２ｃから枠体３１に至るまでの間には、フランジ３２によって分割される複数の空間ａ，ｂが存在することになる。これらの分割された空間ａ，ｂは、フランジ３２の中空部に相当し、フランジ３２が潰れ変形した際に、フランジ３２の縮みを許容する逃げ部として作用する。水平方向の衝撃が化粧料容器１に加わった場合、容器本体１０から化粧料収容体２０への衝撃の伝達経路には、取付部３４と枠体３１との間を連結し、形状的な変形が容易な連結部３３が介在することになる。それととともに、この伝達経路には、潰れ変形が容易なフランジ３２および弾性変形が可能な枠体３１も介在する。
【００２１】
一方、垂直方向において、化粧料収容体２０と収納部１１の底部１１ａとの間には、取付部３４が介在している。これによって、底部１１ａと化粧料収容体２０とは直接接触することなく、垂直方向に離間することになる。そのため、垂直方向の衝撃が化粧料容器１に加わった場合、容器本体１０から化粧料収容体２０への衝撃の伝達経路には、弾性変形が可能な取付部３４が介在することになる。
【００２２】
本実施形態によれば、弾性部材３０の一部位である連結部３３の形状的な変形によって、化粧料容器１に加わる水平方向の衝撃を有効に吸収することが可能となる。ここで、図６のケースを参照しながら、連結部３３による衝撃吸収効果について説明する。上面視で示した同図において、容器本体１０に水平方向成分の衝撃Ｇ１が加わった場合、化粧料収容体２０の慣性力によって、枠体３１の中央からコーナー部分に向かって、水平方向Ｘに移動する。これに伴い、化粧料収容体２０が取り付けられている取付部３４も、化粧料収容体２０と同一方向Ｘに変位する。この取付部３４の変位により、一対の連結片３３ａ，３３ｂによって構成される連結部３３は、点線で図示した形状に曲げ変形するため、水平方向の衝撃Ｇ１を吸収する。
【００２３】
具体的には、連結片３３ａ，３３ｂの一端（取付部３４側）は、枠体３１のコーナー部分に向かって撓むが、連結片３３ａ，３３ｂの他端は、枠体３１に取り付けられているために変位が規制される。このため、連結片３３ａ，３３ｂは、他端側の取付部位を支点として曲げ変形する。このような曲げ変形による連結片３３ａ，３３ｂの変位量は、取付部３４側ほど大きくなる。連結片３３ａ，３３ｂの撓みは、枠体３１側の取付部位における連結部３３の延在方向と、取付部３４側の取付部位における連結部３３の延在方向とが相違するために発生する。また、連結片３３ａ，３３ｂが同一の延在長を有するために、連結片３３ａ，３３ｂの変位量に偏りが生じにくい。その結果、連結片３３ａ，３３ｂは、バランスよく衝撃を吸収する。
【００２４】
また、枠体３１およびフランジ３２においても、水平方向の衝撃Ｇ１が吸収される。具体的には、慣性力によって化粧料収容体２０が水平方向Ｘに移動すると、化粧料収容体２０の側部が枠体３１に押し付けられている。これにより、枠体３１は弾性変形し、フランジ３２は潰れ変形する。その結果、連結部３３の形状的な変形と相俟って、水平方向の衝撃Ｇ１を一層効果的に吸収する。なお、枠体３１とフランジ３２とによる水平方向の衝撃吸収効果に関しては、本出願人の先願である特願２００１−３６２７６４号および特願２００２−３８２２９号に詳述されているので、必要ならば参照されたい。
【００２５】
つぎに、図５を参照しつつ、垂直方向の衝撃Ｇ２が化粧料容器１に加わった場合について説明する。この場合、化粧料収容体２０は慣性力によって垂直方向Ｚに移動する。化粧料収容体２０が垂直方向に移動することで、弾力性を有する取付部３４が、垂直方向に押し潰される。このような取付部３４の弾性変形によって、垂直方向の衝撃Ｇ２が有効に吸収され、化粧料収容体２０に衝撃が伝達されることを抑制する。なお、貼付材４０として粘性の高いものや弾性を有するものを用いた場合には、貼付材４０自身による衝撃吸収効果も発揮される。
【００２６】
このように、本実施形態では、弾性部材３０に一体形成された連結部３３と取付部３４とによって衝撃吸収効果が発揮される。連結部３３は、形状的な変形である曲げ変形によって水平方向の衝撃Ｇ１を吸収し、取付部３４は、弾性変形によって垂直方向の衝撃Ｇ２を吸収する。また、連結部３３のそれぞれは、同一の形状を有しており、取付部３４を中心として対称に（換言すれば、放射状に）延在しているので、水平方向のあらゆる方位からの衝撃を吸収する。その結果、化粧料収容体２０に収容された化粧料のひび割れや飛散を効果的に防止できる。
【００２７】
なお、本発明は、図３に示した弾性部材３０の形状に限定されるものではなく、以下に述べるような変形例も含めて様々な形状に広く適用可能である。図７は、弾性部材３０の変形例を示す上面図である。この弾性部材３０の連結部３３は、円弧状の連結片３３ａ，３３ｂと棒状の連結片３３ｃとから構成される略Ｙ字形状を有する。具体的には、一対の連結片３３ａ，３３ｂの一端は、取付部３４側で互いに連結されており、これらの他端は、隣接したストレート状の壁部３１ａにそれぞれ連結されている。一方、連結片３３ｃは、連結片３３ａ，３３ｂの連結部位と取付部３４との間を連結している。図８は、弾性部材３０の別の変形例を示す上面図である。取付部３４は、中央に所定径の孔が設けられた円形状を有する。
【００２８】
（第２の実施形態）
図９は、第２の実施形態に係る化粧料容器を構成する弾性部材の形状を示す上面図である。この弾性部材５０が上述した弾性部材３０と相違する点は、連結部５３の形状である。なお、第１の実施形態で説明した部材と同一の部材については、同一の符号を付して、ここでの説明を省略する。
【００２９】
弾性部材５０は、枠体５１、同一形状を有する４つの連結部５３ａ〜５３ｄ、および四角形状の取付部５４とが一体形成されているほか、上述したフランジも一体形成されている。連結部５３ａ〜５３ｄは、直線状に延在しており、取付部５４と枠体との間を直線的に連結している。図９に示すような水平方向の衝撃Ｇ１が加わった場合、これらの連結部５３ａ〜５３ｄの曲げ変形によって、衝撃Ｇ１が吸収される。
【００３０】
このように、本実施形態においても、連結部５３ａ〜５３ｄの曲げ変形によって、水平方向の衝撃Ｇ１を吸収できるため、化粧料のひび割れや飛散を有効に防止できる。ただし、本実施形態では、連結部５３ａ〜５３ｄが直線形状であるため、枠体５１側の取付部位における延在方向と取付部５４側の取付部位における延在方向とがほぼ一致する。そのため、水平方向の衝撃Ｇ１が枠体５１の対角線方向より加わった場合、上述した第１の実施形態よりも、衝撃吸収効果が低くなる。
【００３１】
【発明の効果】
本発明によれば、弾性部材に連結部と取付部とを一体形成することによって、外部からの衝撃を効果的に吸収することができる。その結果、化粧料容器に収容された化粧料を衝撃より保護し、化粧料のひび割れや飛散を有効に防止できる。
【図面の簡単な説明】
【図１】第１の実施形態に係る化粧料容器の外観斜視図
【図２】第１の実施形態に係る化粧料容器の展開斜視図
【図３】第１の実施形態に係る弾性部材の上方斜視図
【図４】第１の実施形態に係る弾性部材の下方斜視図
【図５】第１の実施形態に係る化粧料容器の断面図
【図６】第１の実施形態に係る水平方向における衝撃吸収効果の説明図
【図７】第１の実施形態に係る弾性部材の変形例を示す上面図
【図８】第１の実施形態に係る弾性部材の別の変形例を示す上面図
【図９】第２の実施形態に係る弾性部材の上面図
【符号の説明】
１  化粧料容器
１０  容器本体
１１  収納部
１２  爪部
２０  化粧料収容体
３０  弾性部材
３１  枠体
３２  フランジ
３３  連結部
３３ａ，３３ｂ，３３ｃ  連結片
３４  取付部
４０  貼付材
５０  弾性部材
５１  枠体
５３ａ〜５３ｄ  連結部
５４  取付部
【図１】
2004166741.tif 000003
【図２】
2004166741.tif 000004
【図３】
2004166741.tif 000005
【図４】
2004166741.tif 000006
【図５】
2004166741.tif 000007
【図６】
2004166741.tif 000008
【図７】
2004166741.tif 000009
【図８】
2004166741.tif 000010
【図９】
2004166741.tif 000011